(57)【要約】【課題】  使用時に十分に芳香剤が存在して、芳香を発生する時間が長いと共に、製造コストがかからず、安価にすることができる芳香発生マスクを提供する。【解決手段】  マスク本体２に芳香剤を内包した圧縮崩壊性マイクロカプセルを付着させて芳香発生マスク１を構成する。マスク本体２は、強度の高い合成樹脂から成る不織布を成形した外層体４、エレクトレットフィルターを成形した中層体５、及び、芳香剤を内包した圧縮崩壊性マイクロカプセルＭを付着させた、天然繊維から成る不織布を成形した内層体６を順次貼着した三層構造とするのが好ましい。【選択図】          図２
2007089797.tif 000002
【特許請求の範囲】
【請求項１】
マスク本体に芳香剤を内包した圧縮崩壊性マイクロカプセルを付着させたことを特徴とする芳香発生マスク。
【請求項２】
前記芳香剤は、芳香オイルであることを特徴とする請求項１に記載の芳香発生マスク。
【請求項３】
前記圧縮崩壊性マイクロカプセルの被覆材は、メラミン樹脂であることを特徴とする請求項１又は２に記載の芳香発生マスク。
【請求項４】
前記マスク本体は、強度の高い合成樹脂から成る不織布を成形した外層体、エレクトレットフィルターを成形した中層体、及び、芳香剤を内包した圧縮崩壊性マイクロカプセルを付着させた、天然繊維から成る不織布を成形した内層体を順次貼着した三層構造であることを特徴とする請求項１乃至３何れかに記載の芳香発生マスク。
【発明の詳細な説明】
【技術分野】
【０００１】
本発明は、鼻炎緩和効果、精神安定効果、口臭軽減効果等を得ることができる芳香発生マスクに関する。
【背景技術】
【０００２】
近年、汚染大気、ハウスダスト、花粉等によって、喘息、鼻炎等のアレルギー症状を発症する者が多くなってきた。又、社会、家庭等において種々発生する問題によって、ストレス、精神疾患等を訴える者も多くなってきた。さらに、歯槽膿漏、内臓疾患等に起因して発生する口臭を気にする者も多くなってきた。
【０００３】
アレルギー症状、ストレス、精神疾患、口臭等は、根本的には医科、歯科等による治療によって回復、治癒させるものではあるが、中々短期的に回復、治癒できるものではないため、治療中には少しでもその症状を軽減、緩和することが望まれる。
【０００４】
このような要望に応えて、従来、芳香を発生するマスクが種々提案されており、マスクを装着した者が発生する芳香を鼻、口から吸入すると、芳香を発生する芳香剤の種類によって、鼻炎緩和効果、精神安定効果、口臭軽減効果等が得られる。
【０００５】
芳香を発生するマスクとしては、従来、マスク本体２又は添付するガーゼ１１に芳香剤を直接含浸又は付着させたもの（特許文献１参照）、マスク本体１に芳香剤を収納した袋体４を装着自在としたもの（特許文献２参照）が知られている。
【０００６】
【特許文献１】実開平３−９１３６４号公報
【特許文献２】実開平３−８３５４４号公報
【発明の開示】
【発明が解決しようとする課題】
【０００７】
しかし、特許文献１に記載されたマスクは、マスク本体２又は添付するガーゼ１１に芳香剤を直接含浸又は付着させたものであるから、製造後徐々に芳香剤が消失していき、使用時には芳香剤が減少して、芳香を発生する時間が短い場合があった。
又、包装袋から取り出したまま放置しておくと、使用時には芳香剤が完全に消失していて、もう芳香を発生しない場合もあった。
【０００８】
又、特許文献２に記載されたマスクは、マスク本体１に芳香剤を収納した袋体４を装着自在としたものであるから、やはり、製造後徐々に芳香剤が消失していき、袋体４使用時には芳香剤が減少して、芳香を発生する時間が短い場合があった。
又、芳香剤を収納した袋体４を必要とすると共に、マスク本体１には袋体４を装着するポケット６を形成する必要もあり、製造コストがかかり、どうしても高価にならざるを得なかった。
【０００９】
本発明は、かかる従来の問題点に鑑みて為されたものであって、その目的とするところは、使用時に十分に芳香剤が存在していて、芳香を発生する時間が長いと共に、包装袋から取り出して放置しても、芳香剤が消失することがなく、又、芳香剤を収納した袋体を必要とせず、マスク本体にもポケット等を形成する必要もなく、製造コストがかからず、安価にすることができる芳香発生マスクを提供することにある。
【課題を解決するための手段】
【００１０】
上記目的を達成するために、本発明の芳香発生マスクは、マスク本体に芳香剤を内包した圧力崩壊性マイクロカプセルを付着させたことを特徴とする。
【００１１】
かかる構成によれば、輸送、販売、保管時等に芳香剤が徐々に消失することはなく、使用時に芳香剤が十分に存在していて、マスク装着後、十分長時間に亘って芳香を発生することができ、包装袋から取り出して放置しても、芳香剤が消失することはなく、使用時に芳香を発生しない事態を防止することができる。
【００１２】
前記芳香剤としては、芳香オイルを使用するのが好ましい。
【００１３】
前記圧力崩壊性マイクロカプセルの被覆材としては、圧力崩壊性ポリマーであるメラミン樹脂を使用するのが好ましい。
【００１４】
前記マスク本体は、強度の高い合成樹脂から成る不織布を成形した外層体、エレクトレットフィルターを成形した中層体、及び、芳香剤を内包した圧力崩壊性マイクロカプセルを付着させた、天然繊維から成る不織布を成形した内層体を順次貼着した三層構造とするのが好ましい。
【発明を実施するための最良の形態】
【００１５】
以下、本発明の芳香発生マスクの好適な実施形態について、図面を参照して詳細に説明する。
【００１６】
本発明の芳香発生マスク１は、図１に示すように、マスク本体２及び耳掛け紐３，３から構成される。
【００１７】
マスク本体２は、図１及び図２に示すように、長方形状を呈するものであって、外層体４，中層体５及び内層体６を順次貼着した三層構造から成る。
【００１８】
外層体４は、ポリプロピレン等の強度の高い合成樹脂から成る不織布を成形したものであって、長辺と平行に複数の襞４ａ，４ａ，・・・を形成してある。
【００１９】
中層体５は、超極細帯電繊維から成るエレクトレットフィルターを成形したものであって、長辺と平行に複数の襞５ａ，５ａ，・・・を形成してある。
又、上端部には、長辺と平行にステンレス鋼等から成る薄肉帯状の形状維持部材７を挿入してあり、左右側端部には、ゴム紐から成る耳掛け紐３，３を固着してある。
【００２０】
内層体６は、人肌に優しい綿等の天然繊維から成る不織布を成形したものであって、長辺と平行に複数の襞６ａ，６ａ，・・・を形成してある。
又、中央部を中心とする適宜領域Ｄには、芳香剤を内包した圧力崩壊性マイクロカプセルＭを付着させてある。
【００２１】
圧力崩壊性マイクロカプセルＭは、図３に示すように、内包される芯物質Ｃとそれを包囲する被覆材Ｓとから構成され、適宜圧力を負荷することによって、被覆材Ｓが崩壊して芯物質Ｃが露出する、いわゆる感圧型マイクロカプセルである。
圧力崩壊性マイクロカプセルＭは、直径を１〜１００μｍ、特には１〜１０μｍとしてあり、好ましくは、多核型マイクロカプセルとしてある。
【００２２】
芯物質Ｃとしては、芳香剤を使用し、グレープフルーツ、オレンジ、ユーカリ、ジャスミン等の芳香を放散する天然芳香オイルを使用する。
被覆材Ｓとしては、芯物質を完全に封止すると共に、適宜圧力で崩壊する完全閉孔型メラミン樹脂等の圧力崩壊性ポリマーを使用する。
【００２３】
圧力崩壊性マイクロカプセルＭは、天然芳香オイルと圧力崩壊性ポリマーとから、以下のようにして製造することができる。
先ず、水に芳香オイル、乳化剤及び硬化触媒を添加し、十分に攪拌、混合して水溶液を作製する。次に、その水溶液に崩壊性ポリマーを添加して攪拌、混合すれば、硬化触媒の作用によって、芳香オイルの表面において崩壊性ポリマーが硬化、付着し、被覆層を形成するから、芳香オイルを内包した圧力崩壊性マイクロカプセルＭが製造される。
【００２４】
上記の如く製造した圧力崩壊性マイクロカプセルＭを含む溶液を、マスク本体２の内層体６の内側中央部に浸み込ませ、その後、十分に乾燥させれば、圧力崩壊性マイクロカプセルＭは微小粒子であるから、内層体６を構成する天然繊維間に絡まって、内側中央部を中心とする適宜領域Ｄに圧力崩壊性マイクロカプセルＭが付着する。
【００２５】
本発明の芳香発生マスク１は、製造後、包装袋に収容されて輸送、販売、保管等されている時は、圧力崩壊性マイクロカプセルＭによって芳香剤が完全に封止されているから、芳香剤が徐々に消失して、芳香剤が減少してしまうということはない。
よって、使用時に芳香剤が十分に存在しており、マスク装着後、十分長時間に亘って芳香を発生することができる。
【００２６】
本発明の芳香発生マスク１を使用する時には、包装袋から取り出した後、図４に示すように、マスク本体２の左右側端部を両手指で握り、マスク本体２を軽く揉む。
これによって、内層体６に付着している圧力崩壊性マイクロカプセルＭの被覆材Ｓが圧力によって崩壊され、内包された芯物質Ｃである芳香剤が露出するから、以後芳香剤が徐々に消失していき、芳香を発生することとなる。
よって、包装袋から取り出したまま放置しても、マスク本体２を揉まない限り、芳香剤が減少することはないから、使用時に芳香を発生しない事態を防止することができる。
【００２７】
本発明の芳香発生マスク１は、外層体４，中層体５及び内層体６を順次貼着した三層構造とし、綿等の天然繊維から成る不織布を成形した薄肉の内層体６に、圧力崩壊性マイクロカプセルＭを付着させるようにしたから、圧力崩壊性マイクロカプセルＭを容易に付着させることができ、製造コストを低減することができる。
【００２８】
又、外層体４をポリプロピレン等の強度の高い合成樹脂から成る不織布を成形して構成したから、マスク本体２を揉む際、揉んだ後にも、十分に強度を確保することができ、マスク本体２を破損することがない。
【００２９】
又、中層体５を超極細帯電繊維から成るエレクトレットフィルターを成形して構成したから、中層体５によって花粉、粉塵、ハウスダスト等を吸着することができ、さらに、上端部に薄肉帯状の形状維持部材７を挿入させたから、芳香発生マスク１の装着時に、形状維持部材８を適宜変形させて鼻に密着させることができ、花粉、粉塵、ハウスダスト等がマスク本体２の内側に侵入することを極力防止することができる。
【００３０】
さらに、本発明の芳香発生マスク１は、芳香剤を収納した袋体は必要とせず、マスク本体２にもポケット等を形成する必要もないから、製造コストがかからず、安価にすることができる。
【００３１】
尚、上記実施形態にあっては、マスク本体を三層構造としたが、マスクの奏する効果は低減するものの、場合によっては、単層構造、二層構造としてもよく、又は三層以上の多層構造としてもよい。
【００３２】
又、本発明の芳香発生マスクは、上記実施形態のような形状のマスクに限らず、頂点部を曲面状とした逆円錐形状を呈するマスクに適用することもできる。
【図面の簡単な説明】
【００３３】
【図１】本発明の芳香発生マスクの正面図である。
【図２】本発明の芳香発生マスクの分解背面図である。
【図３】圧力崩壊性マイクロカプセルの概略断面図である。
【図４】本発明の芳香発生マスクの使用状態説明図である。
【符号の説明】
【００３４】
１  芳香発生マスク
２  マスク本体
４  外層体
５  中層体
６  内層体
Ｍ  圧力崩壊性マイクロカプセル
Ｃ  芯物質
Ｓ  被覆材
【図１】
2007089797.tif 000003
【図２】
2007089797.tif 000004
【図３】
2007089797.tif 000005
【図４】
2007089797.tif 000006